(57)【要約】【課題】  一定時間過去から直近までの映像を記録し、かつ異常発生時の映像データを確実に記録すると共に、複数の異常が同時に発生した場合に重複なく映像を記録し、効率よく映像データを記録することができる映像監視システムを提供する。【解決手段】  監視カメラ１０１の映像をネットワーク３上に一括同報通信にて送信する映像入力手段２０１と、映像入力手段から送信される映像を受信し、常時最新の一定時間分の映像を記録する連続映像記録手段４と、異常を検知して通知するイベント入力手段７と、イベント入力手段からの入力により異常発生前後の映像データを保存する長期記録手段５とからなる映像監視システムにおいて、長期記録手段５と連続映像記録手段４に同じ映像データを常に一括同報通信にて送信することにより各手段で同時に受信すると共に、異常発生時の映像は長期記録手段５にのみ保存する構成とする。【選択図】図２
2006203342.tif 000002
【特許請求の範囲】
【請求項１】
監視カメラの映像をネットワーク上に一括同報通信にて送信する映像入力手段と、上記映像入力手段から送信される映像を受信し、常時最新の一定時間分の映像を記録する連続映像記録手段と、センサー等により異常を検知し異常発生を通知するイベント入力手段と、上記イベント入力手段からの入力により異常発生前後の映像データを保存する長期記録手段とからなる映像監視システムにおいて、上記長期記録手段と連続映像記録手段に同じ映像データを常に一括同報通信にて送信することにより上記各手段で同時に受信すると共に、異常発生時の映像は上記長期記録手段にのみ保存することを特徴とする映像監視システム。
【請求項２】
異常発生時の映像データの記録開始時刻と終了時刻を管理する記録映像管理手段と、発生した事象ごとに記録映像を管理するイベント記録管理手段とを上記長期記録手段に設けることにより、複数の監視対象で同時に異常が発生した場合に、１つまたは複数の映像データで複数のイベントを記録し得るようにしたことを特徴とする請求項１記載の映像監視システム。
【請求項３】
上記長期記録手段を複数設け、上記イベント入力手段から異常発生時のイベント入力データを上記各長期記録手段に一括同報通信すると共に、複数の長期記録手段それぞれに記録映像管理手段とイベント記録管理手段を設け、異常発生時の映像を記録することにより、長期記録手段のうちのひとつの故障時に、他の長期記録手段を代替動作させることを特徴とする請求項１記載の映像監視システム。
【請求項４】
上記長期記録手段に故障状態を管理する故障管理手段を設け、所定の長期記録手段に故障が発生した場合には、正常な他の長期記録手段が故障した長期記録手段の代替として、異常発生時の映像を記録することを特徴とする請求項３記載の映像監視システム。
【請求項５】
上記連続映像記録手段に故障状態を管理する故障管理手段を設け、長期記録手段に故障が発生した場合には、上記連続映像記録手段が故障した長期記録手段の代替として、異常発生時の映像を記録することを特徴とする請求項１記載の映像監視システム。
【発明の詳細な説明】
【技術分野】
【０００１】
この発明は映像監視システム、例えば上下水道のプラントをはじめとする各種プラントの状態監視とその制御を行う監視制御システム及びプラント設備を複数の監視カメラで監視し、監視カメラの映像を計算機の記憶装置に記録するための映像記録方式とを含む映像監視システムに関するものである。
【背景技術】
【０００２】
プラント設備の状態を監視カメラで監視し、異常発生前後の映像を計算機の記憶装置等に記憶する方式は、最新の映像が最古の映像を上書きするようにして、リング状に記憶領域を管理し、常に最新の映像を一時的に保存しておく形で行なわれている。しかし、センサー等でプラント設備の異常などのイベントの発生を検出した場合には、イベント発生前後の映像データをリング状の記憶領域から除外して、最新映像で上書きされないようにしていた。（例えば特許文献１参照）。
【０００３】
【特許文献１】特許第２９９１９８０号公報
【発明の開示】
【発明が解決しようとする課題】
【０００４】
従来の映像監視システムは上記のように構成されており、イベントが多数発生した場合には、リング状の記憶領域が減ってしまうため、イベント発生前後の映像を長期記録用の装置に退避させることによって、リング状の記録領域の減少を防いでいた。
【０００５】
しかしながら、このような方式では、複数のイベントが同時に発生した場合に、発生した全てのイベントと記録された映像とを関連付けることが出来ないという問題点や、映像データを長期記録用の装置に退避させるまでの間、一時的にリング状の記憶領域が減ってしまうという問題点があった。
【０００６】
この発明は上記のような問題点を解消するためになされたものであり、一定時間過去の映像を記録し、かつ異常発生時の映像データを確実に記録することが可能な映像監視システムを得ると共に、複数の異常が同時に発生した場合に重複なく映像を記録し、効率よく映像データを記録することができる映像監視システムを提供することを目的とする。
【課題を解決するための手段】
【０００７】
この発明に係る映像監視システムは、監視カメラの映像をネットワーク上に一括同報通信にて送信する映像入力手段と、上記映像入力手段から送信される映像を受信し、常時最新の一定時間分の映像を記録する連続映像記録手段と、センサー等により異常を検知し異常発生を通知するイベント入力手段と、上記イベント入力手段からの入力により異常発生前後の映像データを保存する長期記録手段とからなる映像監視システムにおいて、上記長期記録手段と連続映像記録手段に同じ映像データを常に一括同報通信にて送信することにより上記各手段で同時に受信すると共に、異常発生時の映像は上記長期記録手段にのみ保存するものである。
【発明の効果】
【０００８】
この発明に係る映像監視システムは上記のように構成されているため、連続映像記録手段の記録時間を減らすことなく、異常発生時のイベント映像を記録することができ、常に一定時間過去まで遡って映像を表示することができる。
【発明を実施するための最良の形態】
【０００９】
実施の形態１．
以下、この発明の実施の形態１を図に基づいて説明する。
図１は、この発明の実施の形態１による映像監視システムのシステム構成を示すブロック図である。この監視システムは、プラントの各部の映像を取得して監視する監視カメラ１０１、１０２、１０３と、監視カメラの映像をネットワーク３に配信する映像入力装置２０１、２０２、２０３と、ネットワーク３を介して監視カメラの映像を受信し、映像データをリング状に管理し、最古の映像を最新の映像で上書き保存することにより、一定時間過去の映像を映像記録装置６０１に常時記録する連続映像記録装置４と、異常発生を検知するセンサーの入力をネットワーク３を介して通知するイベント入力装置７と、ネットワーク３に接続され、イベント入力装置７からの通知を受けて、異常発生前後の映像を映像記録装置６０２に記録する長期記録装置５とから構成されている。
【００１０】
次に実施の形態１の動作について説明する。
監視カメラ例えば１０１から出力される映像は映像入力装置２０１にてＭＰＥＧ２などに代表される映像圧縮符号化方式により圧縮符号化される。符号化された映像データは、ネットワーク３を介して、ＩＰマルチキャスト等の通信方式により映像データを必要としている複数の装置に一括同報通信される。
【００１１】
連続映像記録装置４はネットワーク３を介して映像入力装置２０１、２０２、２０３からの映像データを受信し、最古の映像を最新の映像で上書きする形でリング状に映像データを管理し、常に一定時間過去から直近までの映像を記録している。
【００１２】
長期記録装置５は連続映像記録装置４と同様、ネットワーク３を介して映像入力装置２０１、２０２、２０３からの映像データを受信し連続的に記録する。ただし、連続記録する時間は異常発生前に記録が必要な時間である。長期記録装置５は、イベント種別ごとにイベント発生時に映像を記録する監視カメラと映像入力装置の情報を登録しておき、イベント入力装置７からの異常発生等のイベント通知を受信すると、後述するイベント種別管理テーブルより、記録すべき監視カメラの情報を取得し、該当する監視カメラの最古の映像への上書きを中止し、新しい記録領域を追加してイベント映像の記録時間分記録する。イベント映像の記録時間が経過し、さらにイベント発生前の記録時間が経過すると最新のイベント発生前記録時間のなかで連続記録される。
【００１３】
上記のように、実施の形態１によれば、連続映像記録装置４の記録時間を減らすことなく、異常発生時のイベント映像を記録することができ、常に一定時間過去まで遡った映像を表示することが可能となる。
【００１４】
実施の形態２．
次に、この発明の実施の形態２を図に基づいて説明する。
図２は、実施の形態２における長期記録装置５の内部構成を示すブロック図である。映像監視システムとしての全体構成は図１と同様であるため図示及び説明を省略する。
【００１５】
長期記録装置５は、ネットワーク３を介して送信されてくる映像データを受信する映像入力部５１と、映像入力部５１にて受信した映像の管理情報をイベント種別管理テーブル５６及び蓄積管理テーブル５７に格納すると共に、映像を映像記録装置６０２に記録する記録映像管理手段５２と、イベント入力装置７からのイベント通知をネットワーク３経由で受信するイベント入力手段５３と、イベント入力手段５３により受信したイベント通知により、イベントの情報及び記録している映像の情報をイベント管理テーブル５５に登録して記録映像管理手段５２にイベント映像の記録を指示するイベント記録管理手段５４とから構成されている。
【００１６】
また、イベント管理テーブル５５に登録するデータは図３に示すように、イベントを識別するＩＤナンバー、イベントの種別と発生時刻、蓄積映像個数の他、蓄積管理データとされている。また、蓄積管理データとしては、図４に示すように、ＩＤナンバーごとにイベントの開始時刻、終了時刻が登録されている。
【００１７】
イベント種別管理テーブル５６に登録するデータは、図５に示すように、イベント種別と、各種別ごとに登録されている監視カメラの台数と、カメラのＩＤナンバーである。
また、蓄積管理テーブル５７に登録するデータは、図６に示すように、蓄積ＩＤと各ＩＤごとの開始時刻、終了時刻と監視カメラのＩＤである。
【００１８】
次に実施の形態２の動作について説明する。
図７は、長期記録装置５内の処理手順を示すフローチャートである。先ずステップ５４１でイベント入力部７からの入力の有無の判定を行なう。入力がない場合はステップ５４２へ進み、入力がある場合はステップ５４６へ進む。
【００１９】
ステップ５４２では、映像入力部５１から映像を受信し、ステップ５４３では受信した映像を指定されたアドレスに書き込む。ステップ５４４ではイベント記録中であるかどうかとイベント記録時間内であるかどうかの判定を行なう。イベント記録中でない場合は、ステップ５４５で映像用のリングバッファが設定されている時は書き込みアドレスを一つ進め、設定されていない時は、現在のアドレスから、イベント発生前の記録時間分遡ったアドレスと現在位置の間でリングバッファ区間を設定し、その先頭アドレスを書き込みアドレスに指定する。
【００２０】
ステップ５４１でイベント入力がある場合は、ステップ５４６においてイベント管理テーブル５５で図３に示すイベントＩＤを新に設定して、イベントの種別と発生時刻、蓄積映像個数等を登録する。また、図３の蓄積管理データとして図４に示すように、ＩＤ別にイベントの開始時刻、終了時刻を登録する。
【００２１】
次に、イベント種別管理テーブル５６を参照し、図５に示すように、発生したイベント種別ごとに登録されている監視カメラの台数及びそのカメラのＩＤを登録する。ステップ５４７では、イベント種別管理テーブル５６に登録されているカメラごとにイベント記録中かどうかを確認する。すでに記録中であれば蓄積ＩＤをイベント管理テーブル５５で図３に登録する。記録中でなければステップ５４８で蓄積ＩＤを記録映像管理手段５２から取得し、イベント管理テーブル５５の図３に登録する。
【００２２】
ステップ５４９では、イベント記録に必要な時間分データの空き領域を確保し映像記録用のリングバッファに追加すると共に、イベント発生前の映像を上書きしないように新に確保した領域を書き込みアドレスとして指定する。ここでイベント記録に必要な時間は、イベント発生前の記録時間とイベント発生後の記録時間の和として計算し、すでにイベント記録中の場合は前回追加したイベントからの発生時刻の差分だけを空き領域として確保するようにする。
【００２３】
実施の形態２は以上のように、一つの蓄積データで複数のイベントを管理するようにイベント管理テーブル５５及び蓄積管理テーブル５７にて蓄積領域を管理するため、複数のイベントが発生した場合でも、同じ映像データを複数記録することなく効率よく蓄積領域を利用することが可能となる。
【００２４】
実施の形態３．
次に、この発明の実施の形態３を図に基づいて説明する。
上述した実施の形態１では、長期記録装置５が一台の場合について述べたが、実施の形態３では長期記録装置５を複数台設けるものである。映像監視システムとしての全体構成は図１と同様であるため図示及び説明を省略する。
【００２５】
図８は、実施の形態３における複数台の長期記録装置のうちの一台の長期記録装置５Ａの内部構成を示すブロック図である。図２の構成に加えて各長期記録装置５Ａの故障状態を管理し、所定の長期記録装置が故障した場合に他の長期記録装置が故障した長期記録装置が記録していた映像を受信するように映像入力部５１と記録映像管理手段５２を制御する故障管理手段５８を設けたものである。
【００２６】
次に実施の形態３の動作について説明する。
全ての監視カメラ１０１〜１０３の映像を各長期記録装置５Ａで受信し、イベント発生前記録時間分のみを連続記録しておく。故障管理手段５８に各長期記録装置５Ａが担当する監視カメラのＩＤを予め登録しておく。また、イベント入力装置７からはＩＰマルチキャスト等の技術を利用して複数の長期記録装置５Ａに対してイベント通知を一括同報通信にて行なうようにする。
【００２７】
正常時は自分が担当する監視カメラが設定されているイベント種別のイベントが発生した場合のみ映像を記録する。また、所定の長期記録装置が故障した場合には、故障管理手段５８にて故障した長期記録装置を検知し、他の長期記録装置が故障した長期記録装置が担当していた監視カメラが設定されているイベント種別をも記録するようにイベント記録管理手段５４に通知する。
【００２８】
実施の形態３は以上のように構成されているため、故障した長期記録装置を別の長期記録装置によって代替することが可能となる。
【００２９】
実施の形態４．
次に、この発明の実施の形態４について説明する。
実施の形態３では、長期記録装置５Ａを複数台設け、長期記録装置同士でお互いの機能を代替するようにしたが、実施の形態４は連続記録装置４を図８に示すような内部構成にして複数台設け、長期記録装置５Ａと同等の機能を持たせることにより、連続記録装置４で長期記録装置５Ａの代替を行なうようにしたものである。
【００３０】
次に実施の形態４の動作について説明する。
各連続記録装置４では、予め連続記録用の記録領域と長期記録用の記録領域とを分けて設けておく。長期記録用の記録領域は代替処理用なので多くの領域を必要としないことから、運用上は比較的少ない容量とすることで実現可能である。連続記録装置４は全ての監視カメラ１０１〜１０３の映像を受信し、連続記録対象の監視カメラの映像のみを連続記録しておき、それ以外はイベント発生前記録時間分のみ長期記録用の記録領域に連続記録しておく。
【００３１】
故障管理手段５８に各長期記録装置が担当する監視カメラのＩＤを予め登録しておく。
また、イベント入力装置７からはＩＰマルチキャスト等の技術を利用して複数の長期記録装置５Ａに対してイベント通知を一括同報通信にて行なうようにする。所定の長期記録装置５Ａが故障した場合には、故障管理手段５８にて長期記録装置５Ａの故障を検出し、故障した長期記録装置５Ａが担当していた監視カメラが設定されているイベント種別をも連続記録装置４が記録するようにイベント記録管理手段５４に通知する。
【００３２】
正常時は停止しているイベント記録管理手段５４は上記通知を受けて、故障している長期記録装置５Ａが担当している監視カメラが設定されているイベント種別によるイベント通知があった場合、連続記録装置４で長期記録装置５Ａの機能を代替しイベント発生前後の映像を記録する。
【００３３】
実施の形態４は以上のように構成されているため、長期記録装置５Ａが故障した場合に連続記録装置４にて一時的に長期記録装置の代替を行なうことが可能となる。
【図面の簡単な説明】
【００３４】
【図１】この発明の実施の形態１の構成を示すブロック図である。
【図２】この発明の実施の形態１及び２における長期記録装置の内部構成を示すブロック図である。
【図３】この発明の実施の形態１及び２におけるイベント管理テーブルのデータ構造を示す図である。
【図４】図３のデータ構造における蓄積管理データのデータ構造を示す図である。
【図５】この発明の実施の形態１及び２におけるイベント種別管理テーブルのデータ構造を示す図である。
【図６】この発明の実施の形態１及び２における蓄積管理テーブルのデータ構造を示す図である。
【図７】この発明の実施の形態２の処理手順を示すフローチャートである。
【図８】この発明の実施の形態３及び４における長期記録装置及び連続記録装置の内部構成を示すブロック図である。
【符号の説明】
【００３５】
１０１、１０２、１０３  監視カメラ、  ２０１、２０２、２０３  映像入力装置、
３  ネットワーク、  ４  連続映像記録装置、  ５  長期記録装置、  ７  イベント入力装置、  ６０１、６０２  映像記録装置。
【図１】
2006203342.tif 000003
【図２】
2006203342.tif 000004
【図３】
2006203342.tif 000005
【図４】
2006203342.tif 000006
【図５】
2006203342.tif 000007
【図６】
2006203342.tif 000008
【図７】
2006203342.tif 000009
【図８】
2006203342.tif 000010